(57)【特許請求の範囲】
【請求項１】
キャビネット（１）に蓋体（２）を枢支（２０）し、該枢支部（２０）の近傍に蓋体（２）を開く向きに付勢するネジリバネ（３）を設け、キャビネット（１）には蓋体（２）に接するネジリバネ（３）の一方の脚片（３２）が一旦引掛けられる係止手段を設けた電気機器に於いて、
蓋体（２）に接する脚片（３２）は、側方に撓み変形して係止手段に引掛かり、蓋体（２）には、蓋体（２）の閉じ姿勢にて該脚片（３２）と係止手段の引掛かりを外す解除部材が設けられ、
蓋体（２）のキャビネット（１）への取付け時に、解除部材により脚片（３２）と係止手段の引掛かりが外されて、脚片（３２）が撓み復帰した状態にて、脚片（３２）は蓋体（２）に接することを特徴とする電気機器。
【請求項２】
蓋体（２）の裏面には撓み復帰した脚片（３２）を受ける挟持片（５）が設けられた請求項１に記載の電気機器。
【請求項３】
係止手段はキャビネット（１）に開設された切欠き（１２）である請求項１又は２に記載の電気機器。
【請求項４】
蓋体（２）はキャビネット（１）の上面開口を覆い、該開口内にはディスクを再生するメカニズムブロック（４）が配備された請求項１乃至３に記載の電気機器。
【発明の詳細な説明】
【０００１】
【発明の属する技術分野】
本発明は、蓋体を枢支して、該枢支部近傍に設けたネジリバネにて蓋体を開く向きに付勢した電気機器、具体的にはディスク再生装置に関する。
【０００２】
【従来の技術】
図７は、従来のディスク再生装置の側面断面図である。キャビネット（１）には上面が開口した凹面（１０）が設けられ、該上面開口はキャビネット（１）に枢支（２０）された蓋体（２）により覆われる。該凹面（１０）内には、サブシャーシ（４２）上にターンテーブル（４０）を具えたメカニズムブロック（４）が配備される。蓋体（２）の枢支部（２０）の近傍には、巻径部（３０）から２本の脚片（３１）（３２）を突出したネジリバネ（３）が設けられ、該ネジリバネ（３）により蓋体（２）は開く向きに付勢される。蓋体（２）を開いてターンテーブル（４０）にディスクＤを装着してディスクＤが再生される。
図８は、蓋体（２）とキャビネット（１）の分解斜視図である。蓋体（２）の枢支部（２０）は、凹面（１０）の内側壁から突出した軸（１１）を、蓋体（２）の側面に開設された孔（２１）に嵌めて構成される。ネジリバネ（３）の第１の脚片（３１）はキャビネット（１）内のストッパ（１３）に接し、第２の脚片（３２）は蓋体（２）の裏面に設けられた板片（５５）（５５）間に嵌まる。サブシャーシ（４２）上には、ネジリバネ（３）の第２脚片（３２）が一旦引掛かる爪片（１８）が設けられている。
【０００３】
蓋体（２）にネジリバネ（３）を取り付けるには、まず第１脚片（３１）をストッパ（１３）に当てる。この次に第２脚片（３２）を直接蓋体（２）の板片（５５）（５５）間に取り付けることも考えられるが、これではネジリバネ（３）の付勢力に抗しながら、蓋体（２）をキャビネット（１）に取り付けることになり作業性が悪い。
従って、第２脚片（３２）を一旦爪片（１８）に引掛け、蓋体（２）の取付時にネジリバネ（３）の付勢力が掛かることを防ぐ。軸（１１）を蓋体（２）の孔（２１）に嵌めた後に、第２脚片（３２）を爪片（１８）から外して、蓋体（２）の板片（５５）（５５）間に嵌める。蓋体（２）はネジリバネ（３）によって開く向きに付勢され、蓋体（２）を閉じると蓋体（２）の先端部に設けたロック機構（図示せず）により閉じ姿勢を保つ。
【０００４】
【発明が解決しようとする課題】
蓋体（２）にネジリバネ（３）を取り付けるには、ネジリバネ（３）の脚片（３２）を一旦爪片（１８）に引掛け、その後脚片（３２）を爪片（１８）から外す２つの作業工程が必要であり、手間であった。また、脚片（３２）を爪片（１８）に引掛けた後に、ネジリバネ（３）を板片（５５）（５５）間に嵌め忘れる作業ミスを引き起こしていた。
本発明の目的は、蓋体にネジリバネを取り付ける際の手間を省き、作業性を改善することにある。
【０００５】
【課題を解決する為の手段】
蓋体（２）に接するネジリバネ（３）の脚片（３２）は、側方に撓み変形してキャビネット（１）の係止手段に引掛かり、蓋体（２）には、蓋体（２）の閉じ姿勢にて該脚片（３２）と係止手段の引掛かりを外す解除部材が設けられている。蓋体（２）のキャビネット（１）への取付け時に、解除部材により脚片（３２）が撓み復帰した状態にて、脚片（３２）は蓋体（２）に接する。
【０００６】
【作用及び効果】
キャビネット（１）に蓋体（２）を取り付けるには、蓋体（２）に接するべきネジリバネ（３）の脚片（３２）を側方に撓み変形させてキャビネット（１）の係止手段に一旦引掛ける。蓋体（２）をキャビネット（１）に枢着して、蓋体（２）を閉じれば解除部材が脚片（３２）を押して該脚片（３２）と係止手段の引掛かりを外す。脚片（３２）が撓み復帰して、脚片（３２）は蓋体（２）に接する。
上記の如く、蓋体（２）にネジリバネ（３）を取り付けるには、脚片（３２）を係止手段に一旦引掛けてから、蓋体（２）を閉じれば、ネジリバネ（３）は自動的に蓋体（２）に接する。従来に比して、脚片（３２）を爪片（１８）から外す工程が不要となるから、ネジリバネ（３）の取付作業性が良くなり、手間を省くことが出来る。
【０００７】
【発明の実施の形態】
以下、本発明の一例を図を用いて詳述する。
図１は、蓋体（２）を開いた装置を斜め上側から見た斜視図であり、図２は図１をＡ−Ａ線にて破断した側面断面図である。キャビネット（１）には、上面が開口した凹面（１０）が設けられ、該凹面（１０）の開口はキャビネット（１）に枢支された蓋体（２）により覆われる。従来と同様に、蓋体（２）の枢支部（２０）は、凹面（１０）の内側壁から突出した軸（１１）を、蓋体（２）の側面に開設された孔（２１）に嵌めて構成される（図２参照）。凹面（１０）内には、従来と同様に、サブシャーシ（４２）上にターンテーブル（４０）及びピックアップ（４１）を設けたメカニズムブロック（４）が配備される。説明の便宜上、図２乃至図５ではターンテーブル（４０）及びピックアップ（４１）の図示を省く。
【０００８】
蓋体（２）の枢支部近傍にて、サブシャーシ（４２）の端部には、巻径部（３０）から２本の脚片（３１）（３２）を突出したネジリバネ（３）が設けられ、該ネジリバネ（３）の第１脚片（３１）はキャビネット（１）のストッパ（１３）に接し、第２脚片（３２）は蓋体（２）の裏面に位置する挟持片（５）に嵌まる。図６は、挟持片（５）を図１のＢ方向から見た図であるが、挟持片（５）は幅方向の中央部に嵌め溝（５０）を形成し、該嵌め溝（５０）の両側は斜め上向きに広がる斜端面（５１）（５１）を形成している。
図２に示す凹面（１０）の内側壁には切欠き（１２）が設けられ、切欠き（１２）は前後に延びた大孔（１２ａ）の上端部の軸（１１）側に小孔（１２ｂ）を連ねて開設している。後記するように蓋体（２）の取付時には、ネジリバネ（３）の第２脚片（３２）は一旦小孔（１２ｂ）の側縁に引掛かる。
蓋体（２）の一端部には、切欠き（１２）に引掛かった第２脚片（３２）に接する解除突片（２２）が下向きに突出している。前記挟持片（５）は解除突片（２２）よりも稍低く形成されている。
【０００９】
（蓋体の取付時）
蓋体（２）は、キャビネット（１）に以下の手順で取り付けられる。
まず、ネジリバネ（３）の巻径部（３０）をサブシャーシ（４２）の端部に置き、第１脚片（３１）をストッパ（１３）に当て、第２脚片（３２）の先端部を図２に一点鎖線で示すように、一旦小孔（１２ｂ）の側縁に引掛ける。図３は図２の裏面図であり、第２脚片（３２）は側方に弾性変形して切欠き（１２）に嵌まる。
この次に、キャビネット（１）の軸（１１）を蓋体（２）の孔（２１）に嵌める。ネジリバネ（３）は、ストッパ（１３）と切欠き（１２）に接して撓み復帰を規制されており、未だ蓋体（２）に接しない。蓋体（２）は開き状態にて、解除突片（２２）が第２脚片（３２）に重なっている。
【００１０】
蓋体（２）を手で閉じると、解除突片（２２）が第２脚片（３２）に接して、図４に一点鎖線で示すように、該第２脚片（３２）を下向きに押す。第２脚片（３２）と小孔（１２ｂ）の側縁との引掛かりが外れて、第２脚片（３２）は大孔（１２ａ）に逃げる。第２脚片（３２）は撓み復帰する、即ち図３に矢印Ｃで示すように、反時計方向に回転する。ネジリバネ（３）が自然状態にて、第２脚片（３２）は挟持片（５）の嵌め溝（５０）に重なるから、図５に示すように、第２脚片（３２）は撓み復帰して嵌め溝（５０）に対向する。また、ネジリバネ（３）は切欠き（１２）との引掛かりが外れたことにより、第２脚片（３２）は開く向きに回動する。従って、第２脚片（３２）は挟持片（５）の一方の斜端面（５１）（図６参照）を伝って嵌め溝（５０）に嵌まる。これにより、ネジリバネ（３）の蓋体（２）への取り付けが完了する。挟持片（５）は解除突片（２２）よりも稍低く形成されているから、第２脚片（３２）の撓み復帰時に第２脚片（３２）が挟持片（５）の外側面に当たって、嵌め溝（５０）に嵌まらない虞れはない。
【００１１】
本例にあっては、蓋体（２）にネジリバネ（３）を取り付けるには、第２脚片（３２）を切欠き（１２）に一旦引掛けてから、蓋体（２）を閉じれば良い。従来に比して、脚片（３２）を爪片（１８）（図８参照）から外す工程が不要となるから、ネジリバネ（３）の取付作業性が良くなり、手間を省くことが出来る。
また、従来にあっては、爪片（１８）に第２脚片（３２）を引掛けたまま放置し、蓋体（２）への第２脚片（３２）の取り付けを忘れることがあったが、本例の装置にあってはそのような虞れはない。
更に、従来にあっては、蓋体（２）を開き、ターンテーブル（４０）にディスクを装着せんとすると、爪片（１８）が露出しており見映えが悪かった。然るに、本例にあっては、ネジリバネ（３）の第２脚片（３２）をキャビネット（１）の切欠き（１２）に取り付けるので、爪片（１８）がなく蓋体（２）を開いた際の見映えも改善される。
【００１２】
蓋体（２）の先端部にはロック機構（図示せず）が設けられ、蓋体（２）が閉じた状態にて蓋体（２）はキャビネット（１）にロックされる。
また、上記例にあっては、蓋体（２）の枢支部（２０）は、キャビネット（１）の軸（１１）を、蓋体（２）の孔（２１）に嵌めて構成されているが、キャビネット（１）に孔（２１）を開設し、蓋体（２）に軸（１１）を設けてもよい。
また、本例にあっては、電気機器として、ディスク再生装置を例示したが、蓋体を枢支した他の電気機器、例えばカセットデッキでも良い。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】蓋体を開いた装置の斜視図である。
【図２】図１をＡ−Ａ線にて破断した側面断面図である。
【図３】図２の裏面図である。
【図４】蓋体を閉じる際の装置の側面断面図である。
【図５】ネジリバネが撓み復帰した状態を示す裏面図である。
【図６】挟持片を図１のＢ方向から見た図である。
【図７】従来のディスク再生装置の側面断面図である。
【図８】蓋体とキャビネットの分解斜視図である。
【符号の説明】
（１）    キャビネット
（２）    蓋体
（３）    ネジリバネ
（４）    メカニズムブロック
（１２）    切欠き
（２０）    枢支
（３２）    第２脚片
【図１】
0003615442.tif 000002
【図２】
0003615442.tif 000003
【図３】
0003615442.tif 000004
【図４】
0003615442.tif 000005
【図５】
0003615442.tif 000006
【図６】
0003615442.tif 000007
【図７】
0003615442.tif 000008
【図８】
0003615442.tif 000009